(57)【要約】【課題】入力信号を中間周波信号に周波数変換することで、所定放送チャンネルのワンセグ放送信号を抽出して信号処理を行い、その後、ワンセグ放送信号を元の放送チャンネルに周波数変換して送信するワンセグ放送送信装置において、入力信号に含まれる不要信号成分が周波数変換部を介して出力側に回り込むのを防止する。【解決手段】ワンセグ放送信号を含む入力信号を中間周波信号に変換するミキサ２４、ミキサで周波数変換された中間周波信号の中からワンセグ放送信号を抽出して増幅する信号処理部（２６〜４０）、及び、信号処理部を通過したワンセグ放送信号を元の周波数帯に周波数変換するミキサ４０を備えた送信装置２０において、ミキサ２４、４０に供給する周波数変換用の高周波信号Ｌ１，Ｌ２を、それぞれ、異なる高周波信号発生回路５０、６０にて生成する。【選択図】図２
2015204494.tif 000002
【特許請求の範囲】
【請求項１】
特定チャンネル・特定セグメントのワンセグ放送信号を含む入力信号と、第１高周波信号とを混合することで、前記入力信号を中間周波数帯に周波数変換する第１周波数変換部と、
前記第１周波数変換部にて周波数変換された中間周波信号を増幅すると共に、該中間周波信号の中から、前記ワンセグ放送信号に対応しない不要信号成分を除去する信号処理部と、
前記信号処理部から出力され、前記不要信号成分が除去された中間周波信号と、前記第１高周波信号と同一周波数の第２高周波信号とを混合することで、前記中間周波信号を前記特定チャンネル・特定セグメントの放送周波数帯のワンセグ放送信号に周波数変換する第２周波数変換部と、
前記第１周波数変換部及び前記第２周波数変換部に、前記第１高周波信号及び前記第２高周波信号を供給する高周波信号供給手段と、
を備え、
前記高周波信号供給手段は、
前記第１高周波信号及び前記第２高周波信号をそれぞれ発生する第１発振器及び第２発振器と、
前記各高周波信号の周波数の基準となる一定周波数の基準信号を発生する基準信号発生回路と、
前記基準信号発生回路が発生した基準信号に基づき、前記第１発振器及び前記第２発振器の発振周波数を制御する発振周波数制御回路と、
を備えたことを特徴とするワンセグ放送送信装置。
【請求項２】
特定チャンネル・特定セグメントのワンセグ放送信号を含む入力信号と、第１高周波信号とを混合することで、前記入力信号を中間周波数帯に周波数変換する第１周波数変換部と、
前記第１周波数変換部にて周波数変換された中間周波信号を増幅すると共に、該中間周波信号の中から、前記ワンセグ放送信号に対応しない不要信号成分を除去する信号処理部と、
前記信号処理部から出力され、前記不要信号成分が除去された中間周波信号と、前記第１高周波信号と同一周波数の第２高周波信号とを混合することで、前記中間周波信号を前記特定チャンネル・特定セグメントの放送周波数帯のワンセグ放送信号に周波数変換する第２周波数変換部と、
前記第１周波数変換部及び前記第２周波数変換部に、前記第１高周波信号及び前記第２高周波信号を供給する高周波信号供給手段と、
を備え、
前記高周波信号供給手段は、
前記第１高周波信号及び前記第２高周波信号となる高周波信号を発生する発振器と、
前記発振器が発生した高周波信号を２分配し、前記第１高周波信号及び前記第２高周波信号として、前記第１周波数変換部及び前記第２周波数変換部へ出力する分配回路と、
前記分配回路から前記第１周波数変換部まで前記第１高周波信号を伝送する第１経路、又は、前記分配回路から前記第２周波数変換部まで前記第２高周波信号を伝送する第２経路に設けられ、前記入力信号の一部が前記第１周波数変換部から前記第１経路に漏れ出すことにより、前記第１経路、前記分配回路及び前記第２経路を介して前記第２周波数変換部まで伝送される入力信号成分を除去する信号除去手段と、
を備えたことを特徴とするワンセグ放送送信装置。
【請求項３】
前記信号除去手段として、
前記第１経路及び前記第２経路の少なくとも一方に設けられ、前記高周波信号を選択的に通過させ、前記入力信号成分の通過を遮断するバンドパスフィルタ、
を備えたことを特徴とする請求項２に記載のワンセグ放送送信装置。
【請求項４】
前記信号除去手段として、
前記第１経路に設けられて、前記分配回路から前記第１周波数変換部に向けて出力された前記第１高周波信号を増幅する増幅回路、
を備えたことを特徴とする請求項２又は請求項３に記載のワンセグ放送送信装置。
【請求項５】
ワンセグ放送用の放送データを、ＣＡＴＶ網の空きチャンネルの特定セグメントのワンセグ放送信号に変換し、ＣＡＴＶ網の伝送線に送出する放送信号出力装置と、
前記ＣＡＴＶ網の伝送線に接続され、前記伝送線を流れる伝送信号の中から、前記ワンセグ放送信号を抽出し、送信アンテナから送信させるワンセグ放送送信装置と、
を備え、前記ワンセグ放送送信装置として、請求項１〜請求項４の何れか１項に記載のワンセグ放送送信装置を備えたことを特徴とするワンセグ放送システム。
【発明の詳細な説明】
【技術分野】
【０００１】
本発明は、デジタルテレビ放送１チャンネルを構成する複数のセグメントの一つを使ってワンセグ放送を行うワンセグ放送システム、及び、ワンセグ放送システムにおいてワンセグ放送信号を送信するのに好適なワンセグ放送送信装置に関する。
【背景技術】
【０００２】
従来、地上デジタルテレビ放送では、一つの放送チャンネルに割り当てられる６ＭＨｚの周波数帯域内に、周波数帯域幅が約４２９ｋＨｚのセグメントを１３個割り当て、そのうち、周波数軸上で中央に配置される１つのセグメントを使用してワンセグ放送（ワンセグメント放送）を行い、残りの１２セグメントを利用してフルセグ放送（フルセグメント放送）を行っている（例えば、特許文献１参照）。
【０００３】
また、地上デジタルテレビ放送の一つとして、フルセグ放送は行わず、特定の地域で、放送チャンネル内の１セグメントだけを利用してワンセグ放送を行う、エリア放送型システム（以下、エリアワンセグ放送という）も知られている。
【先行技術文献】
【特許文献】
【０００４】
【特許文献１】特開２００７−１９８９３６号公報
【発明の概要】
【発明が解決しようとする課題】
【０００５】
エリアワンセグ放送は、例えば、防災情報や広報等、地域特有の情報を地域内の受信端末に配信するのに利用される。
【０００６】
このため、エリアワンセグ放送用の送信装置は、放送信号の配信対象となる地域内に分散して配置される。
【０００７】
ところで、その地域内に分散して配置されたワンセグ放送送信装置まで放送信号を伝送するのに、専用の伝送ケーブルを使用するようにすると、伝送ケーブルの設置作業が必要となり、コストアップを招くことになる。
【０００８】
このため、ワンセグ放送送信装置への放送信号の伝送には、ＣＡＴＶシステムの伝送ケーブルを利用することが考えられる。
【０００９】
しかしながら、ＣＡＴＶシステムの伝送ケーブルを利用して、エリアワンセグ放送用の放送信号を伝送するようにした場合、ワンセグ放送送信装置には、エリアワンセグ放送用の放送信号だけでなく、ＣＡＴＶシステムの加入者側に配信される多チャンネルのテレビ放送信号も入力されることになる。
【００１０】
従って、この場合、ワンセグ放送送信装置においては、ＣＡＴＶシステムの伝送ケーブルを介して入力される多チャンネルの入力信号の中から、特定チャンネル・特定セグメントのエリアワンセグ放送用の放送信号だけを抽出し、不要信号成分の除去、増幅等の信号処理を施した後、送信アンテナから送信させる必要がある。
【００１１】
このため、ワンセグ放送送信装置は、通常、入力信号を、一旦、中間周波信号に周波数変換（ダウンコンバート）して、狭帯域のバンドパスフィルタや増幅回路等からなる信号処理部を通過させることにより、中間周波信号から不要信号成分を除去すると共に、中間周波信号を増幅し、その後、中間周波信号を元の放送チャンネルの放送信号に周波数変換（アップコンバート）して、アンテナ側に出力するよう構成される。
【００１２】
また、このように周波数変換を２回行う場合、各周波数変換部で周波数変換に利用される高周波信号の周波数がずれると、アンテナから送信される放送信号の周波数が、ＣＡＴＶシステムの伝送ケーブルを介して伝送されてきた元の放送信号の周波数からずれてしまう。
【００１３】
この問題を防止する方法としては、従来から、一つの信号発生部から出力される高周波信号を２分配して、各周波数変換部に入力する方法が知られている。
【００１４】
しかし、このような対策では、ダウンコンバート用の周波数変換部から高周波信号の伝送経路に漏れ出した不要信号成分（入力信号のイメージ成分等）が、分配回路を介して、アップコンバート用の周波数変換部へ高周波信号を伝送する伝送経路に回り込み、アップコンバート用の周波数変換部からアンテナ側へと出力されてしまうことがわかった。
【００１５】
本発明は、こうした問題に鑑みなされたものであり、入力信号を中間周波信号に周波数変換することで、所定放送チャンネルのワンセグ放送信号を抽出して信号処理を行い、その後、ワンセグ放送信号を元の放送チャンネルに周波数変換して送信するワンセグ放送送信装置において、入力信号に含まれる不要信号成分が周波数変換部を介して出力側に回り込むのを防止することを目的とする。
【課題を解決するための手段】
【００１６】
かかる目的を達成するためになされた請求項１に記載のワンセグ放送送信装置は、
特定チャンネル・特定セグメントのワンセグ放送信号を含む入力信号と、第１高周波信号とを混合することで、前記入力信号を中間周波数帯に周波数変換する第１周波数変換部と、
前記第１周波数変換部にて周波数変換された中間周波信号を増幅すると共に、該中間周波信号の中から、前記ワンセグ放送信号に対応しない不要信号成分を除去する信号処理部と、
前記信号処理部から出力され、前記不要信号成分が除去された中間周波信号と、前記第１高周波信号と同一周波数の第２高周波信号とを混合することで、前記中間周波信号を前記特定チャンネル・特定セグメントの放送周波数帯のワンセグ放送信号に周波数変換する第２周波数変換部と、
前記第１周波数変換部及び前記第２周波数変換部に、前記第１高周波信号及び前記第２高周波信号を供給する高周波信号供給手段と、
を備え、
前記高周波信号供給手段は、
前記第１高周波信号及び前記第２高周波信号をそれぞれ発生する第１発振器及び第２発振器と、
前記各高周波信号の周波数の基準となる一定周波数の基準信号を発生する基準信号発生回路と、
前記基準信号発生回路が発生した基準信号に基づき、前記第１発振器及び前記第２発振器の発振周波数を制御する発振周波数制御回路と、
を備えたことを特徴とする。
【００１７】
また、請求項２に記載のワンセグ放送送信装置は、
特定チャンネル・特定セグメントのワンセグ放送信号を含む入力信号と、第１高周波信号とを混合することで、前記入力信号を中間周波数帯に周波数変換する第１周波数変換部と、
前記第１周波数変換部にて周波数変換された中間周波信号を増幅すると共に、該中間周波信号の中から、前記ワンセグ放送信号に対応しない不要信号成分を除去する信号処理部と、
前記信号処理部から出力され、前記不要信号成分が除去された中間周波信号と、前記第１高周波信号と同一周波数の第２高周波信号とを混合することで、前記中間周波信号を前記特定チャンネル・特定セグメントの放送周波数帯のワンセグ放送信号に周波数変換する第２周波数変換部と、
前記第１周波数変換部及び前記第２周波数変換部に、前記第１高周波信号及び前記第２高周波信号を供給する高周波信号供給手段と、
を備え、
前記高周波信号供給手段は、
前記第１高周波信号及び前記第２高周波信号となる高周波信号を発生する発振器と、
前記発振器が発生した高周波信号を２分配し、前記第１高周波信号及び前記第２高周波信号として、前記第１周波数変換部及び前記第２周波数変換部へ出力する分配回路と、
前記分配回路から前記第１周波数変換部まで前記第１高周波信号を伝送する第１経路、又は、前記分配回路から前記第２周波数変換部まで前記第２高周波信号を伝送する第２経路に設けられ、前記入力信号の一部が前記第１周波数変換部から前記第１経路に漏れ出すことにより、前記第１経路、前記分配回路及び前記第２経路を介して前記第２周波数変換部まで伝送される入力信号成分を除去する信号除去手段と、
を備えたことを特徴とする。
【００１８】
また、請求項３に記載のワンセグ放送送信装置は、請求項２に記載のワンセグ放送送信装置において、前記信号除去手段として、前記第１経路及び前記第２経路の少なくとも一方に設けられ、前記高周波信号を選択的に通過させ、前記入力信号成分の通過を遮断するバンドパスフィルタ、を備えたことを特徴とする。
【００１９】
また、請求項４に記載のワンセグ放送送信装置は、請求項２又は請求項３に記載のワンセグ放送送信装置において、前記信号除去手段として、前記第１経路に設けられて、前記分配回路から前記第１周波数変換部に向けて出力された前記第１高周波信号を増幅する増幅回路、を備えたことを特徴とする。
【００２０】
一方、請求項５に記載のワンセグ放送システムは、
ワンセグ放送用の放送データを、ＣＡＴＶ網の空きチャンネルの特定セグメントのワンセグ放送信号に変換し、ＣＡＴＶ網の伝送線に送出する放送信号出力装置と、
前記ＣＡＴＶ網の伝送線に接続され、前記伝送線を流れる伝送信号の中から、前記ワンセグ放送信号を抽出し、送信アンテナから送信させるワンセグ放送送信装置と、
を備え、前記ワンセグ放送送信装置として、請求項１〜請求項４の何れか１項に記載のワンセグ放送送信装置を備えたことを特徴とする。
【発明の効果】
【００２１】
本発明のワンセグ放送送信装置においては、第１周波数変換部、信号処理部、第２周波数変換部、及び、高周波信号供給手段を備える。
【００２２】
第１周波数変換部は、特定チャンネル・特定セグメントのワンセグ放送信号を含む入力信号と、第１高周波信号とを混合することで、前記入力信号を中間周波数帯に周波数変換し、信号処理部は、第１周波数変換部にて周波数変換された中間周波信号を増幅すると共に、その中間周波信号の中から、ワンセグ放送信号に対応しない不要信号成分を除去する。
【００２３】
また、第２周波数変換部は、信号処理部にて不要信号成分が除去された中間周波信号と、第１高周波信号と同一周波数の第２高周波信号とを混合することで、中間周波信号を特定チャンネル・特定セグメントの放送周波数帯のワンセグ放送信号に周波数変換する。
【００２４】
このため、本発明のワンセグ放送送信装置によれば、入力信号の中から特定チャンネル・特定セグメントのワンセグ放送信号を抽出し、不要信号成分の除去及び増幅等の信号処理を行ってから、ワンセグ放送信号を元の放送周波数帯のワンセグ放送信号に戻して出力（送信）することができる。
【００２５】
次に、高周波信号供給手段は、第１周波数変換部及び第２周波数変換部に、それぞれ、第１高周波信号及び前記第２高周波信号を供給するためのものである。
【００２６】
そして、請求項１に記載のワンセグ放送送信装置においては、高周波信号供給手段が、第１高周波信号及び第２高周波信号をそれぞれ発生する第１発振器及び第２発振器と、これら各高周波信号の周波数の基準となる一定周波数の基準信号を発生する基準信号発生回路とを備え、発振周波数制御回路が、基準信号発生回路が発生した基準信号に基づき、第１発振器及び第２発振器の発振周波数を制御する。
【００２７】
このように、請求項１に記載のワンセグ放送送信装置においては、第１周波数変換部及び第２周波数変換部に対し、第１発振器及び第２発振器から出力された第１高周波信号及び第２高周波信号が入力される。
【００２８】
このため、請求項１に記載のワンセグ放送送信装置によれば、第１周波数変換部から第１高周波信号の伝送経路（第１経路）側に漏れ出した入力信号成分が、第２高周波信号の伝送経路（第２経路）を介して第２周波数変換部に回り込むのを防止することができる。
【００２９】
また、第１発振器及び第２発振器の発振周波数は、発振周波数制御回路によって、基準信号発生回路が発生した基準信号に基づき制御されることから、第１発振器及び第２発振器の発振周波数がずれるのを防止できる。
【００３０】
よって、第２周波数変換部にて周波数変換されたワンセグ放送信号の周波数が、入力信号に含まれる元のワンセグ放送信号の周波数からずれるのを防止することができる。
【００３１】
一方、請求項２に記載のワンセグ放送送信装置においては、高周波信号供給手段が、第１高周波信号及び第２高周波信号となる高周波信号を発生する発振器と、発振器が発生した高周波信号を２分配し、第１高周波信号及び第２高周波信号として、第１周波数変換部及び第２周波数変換部へ出力する分配回路とを備える。
【００３２】
そして、分配回路から第１周波数変換部まで第１高周波信号を伝送する第１経路、又は、分配回路から第２周波数変換部まで第２高周波信号を伝送する第２経路には、入力信号の一部が第１周波数変換部から第１経路に漏れ出すことにより、第１経路、分配回路及び第２経路を介して第２周波数変換部まで伝送される入力信号成分を除去する信号除去手段が設けられている。
【００３３】
このため、請求項２に記載のワンセグ放送送信装置においても、請求項１に記載の装置と同様、第１周波数変換部から漏出した入力信号成分が、第１高周波信号及び第２高周波信号の伝送経路（第１経路、分配回路、及び、第２経路）を介して、第２周波数変換部に回り込むのを防止することができる。
【００３４】
また、第１高周波信号及び第２高周波信号は、一つの発振器が発生した高周波信号を２分配したものであるから、第２周波数変換部にて周波数変換されたワンセグ放送信号の周波数が、入力信号に含まれる元のワンセグ放送信号の周波数からずれるのを防止することができる。
【００３５】
なお、信号除去手段としては、請求項３に記載のように、第１経路及び第２経路の少なくとも一方に、高周波信号を選択的に通過させ、入力信号成分の通過を遮断するバンドパスフィルタを設けることにより、構成することができる。
【００３６】
また、信号除去手段としては、請求項４に記載のように、第１経路に、分配回路から第１周波数変換部に向けて出力された第１高周波信号を増幅する増幅回路を設けることによっても、構成することができる。
【００３７】
また、信号除去手段は、請求項３に記載のバンドパスフィルタと、請求項４に記載の増幅回路との両方を用いることで、実現するようにしてもよい。
【００３８】
次に、請求項５に記載のワンセグ放送システムは、ワンセグ放送信号をＣＡＴＶ網の伝送線に送出する放送信号出力装置と、その伝送線を流れる伝送信号の中からワンセグ放送信号を抽出し、送信アンテナから送信させるワンセグ放送送信装置と、を備える。
【００３９】
そして、そのワンセグ放送送信装置は、上述した本発明（請求項１〜請求項４の何れかに記載）のワンセグ放送送信装置にて構成されることから、ワンセグ放送送信装置の送信アンテナから、ＣＡＴＶ網の伝送線を介して伝送される他チャンネルの放送信号が送信されるのを防止できる。
【図面の簡単な説明】
【００４０】
【図１】実施形態のワンセグ放送システム全体の構成を表す概略構成図である。
【図２】ワンセグ放送信号送信装置の構成を表すブロック図である。
【図３】ワンセグ放送信号送信装置の変形例を表すブロック図である。
【発明を実施するための形態】
【００４１】
以下に、本発明の実施形態を図面と共に説明する。
【００４２】
図１に示すように、本実施形態のワンセグ放送システムは、ＣＡＴＶ網のヘッドエンド２から端末側に至る伝送線（光ケーブル６及び同軸ケーブル７）を利用して、ワンセグ放送信号を伝送し、ＣＡＴＶ網の任意の場所に設置されたワンセグ放送送信装置（以下、単に送信装置という）２０から送信アンテナ１４を介してワンセグ放送信号を送信するものである。
【００４３】
このため、ワンセグ放送システムには、放送信号出力装置として、ワンセグエンコーダ１０と、変調器１２とが備えられている。
【００４４】
ワンセグエンコーダ１０は、ワンセグ放送用の放送データ（映像・音声データ）を、テレビ放送信号を構成する１３セグメントの一つ（一般に周波数配列で中央に位置する０番目のセグメント）を使って伝送するためのワンセグデータに変換するものである。
【００４５】
変調器１２は、ワンセグエンコーダ１０にて生成されたワンセグデータを、ヘッドエンド２から出力される伝送信号（多チャンネルのテレビ放送信号）とは異なる特定チャンネル（換言すれば空きチャンネル）で特定セグメントの放送信号（つまり、ワンセグ放送信号）に変換（ＯＦＤＭ変調）するものである。
【００４６】
そして、変調器１２にて生成されたワンセグ放送信号は、ヘッドエンド２から出力された伝送信号を光信号に変換する電気／光変換器（Ｅ／Ｏ変換器）４に入力され、Ｅ／Ｏ変換器４にて、ヘッドエンド２からの伝送信号と共に光信号に変換されて、光ケーブル６に送出される。
【００４７】
光ケーブル６の末端には、光信号を電気信号に変換する光／電気変換器（Ｏ／Ｅ変換器）８が設けられており、Ｏ／Ｅ変換器８からは、電気信号に変換された伝送信号が複数の同軸ケーブル７に分配して出力される。そして、この複数の同軸ケーブル７の一つに、送信装置２０が接続されている。
【００４８】
図２に示すように、送信装置２０には、同軸ケーブル７に接続される入力端子Ｔｉｎと、送信アンテナ１４に接続される出力端子Ｔｏｕｔとが備えられている。
【００４９】
そして、同軸ケーブル７から入力端子Ｔｉｎに入力された伝送信号は、変調器１２で生成された特定チャンネル・特定セグメントのワンセグ放送信号を選択的に通過させるバンドパスフィルタ（以下、バンドパスフィルタをＢＰＦとも記載する）や、増幅回路等が設けられた入力回路２２を介して、送信装置２０内に取り込まれる。
【００５０】
また、入力回路２２を介して送信装置２０内に取り込まれた入力信号は、周波数変換用のミキサ２４に入力される。
【００５１】
ミキサ２４は、ワンセグ放送信号を含む入力信号と、Ｌ１発生回路５０から出力される第１高周波信号Ｌ１とを混合することで、ワンセグ放送信号を所定周波数帯の中間周波信号に周波数変換（ダウンコンバート）するためのものであり、本発明の第１周波数変換部に相当する。
【００５２】
次に、ミキサ２４にて中間周波数帯に周波数変換された、ワンセグ放送信号を含む入力信号（中間周波信号）は、増幅回路２６、３０、３４、３８とワンセグ放送信号を選択的に通過させるＢＰＦ２８、３２、３６とを交互に配置してなる信号処理回路にて信号処理された後、ミキサ４０に入力される。
【００５３】
なお、ＢＰＦ２８、３２、３６は、前段の増幅回路２６、３０、３４から出力された中間周波信号の中から、ワンセグ放送信号以外の不要信号成分を除去し、ワンセグ放送信号成分のみを選択的に通過させるためのものであり、ＳＡＷフィルタにて構成されている。
【００５４】
また、ミキサ４０は、信号処理回路における最終段の増幅回路３８から出力された中間周波信号（ワンセグ放送信号）と、Ｌ２発生回路６０から出力される第２高周波信号Ｌ２とを混合することで、中間周波信号（ワンセグ放送信号）を、ミキサ２４にて周波数変換する前の元の周波数帯のワンセグ放送信号に周波数変換（アップコンバート）するためのものであり、本発明の第２周波数変換部に相当する。
【００５５】
そして、ミキサ２４により特定放送チャンネル・特定セグメントのワンセグ放送信号に周波数変換されたワンセグ放送信号は、このワンセグ放送信号を選択的に通過させるＢＰＦや、増幅回路等が設けられた出力回路４２を介して、出力端子Ｔｏｕｔまで伝送され、出力端子Ｔｏｕｔから送信アンテナ１４に出力されることにより、送信アンテナ１４から周囲の放送対象エリアに放射される。
【００５６】
次に、Ｌ１発生回路５０及びＬ２発生回路６０は、それぞれ、電圧制御発振器（以下、ＶＣＯ（Voltage-controlled oscillator）という）５２，６２と、ＶＣＯ５２，６２の発振周波数を制御するためのＰＬＬ回路５４，６４と、ＶＣＯ５２，６２から出力される高周波信号を増幅し、第１高周波信号Ｌ１又は第２高周波信号Ｌ２としてミキサに出力する増幅回路５６，６６とを備える。
【００５７】
ＰＬＬ回路５４，６４は、共通の基準信号発生回路７０から出力される基準信号（一定周波数）を受けて、ＶＣＯ５２，６２の発振周波数を、基準信号を周波数逓倍した同一周波数にフィードバック制御するためのものである。
【００５８】
そして、ＰＬＬ回路５４，６４が制御するＶＣＯ５２，６２の発振周波数（換言すれば基準信号の逓倍数）は、制御回路８０を介して外部から設定可能である。
【００５９】
このように本実施形態の送信装置２０においては、第１高周波信号Ｌ１と第２高周波信号Ｌ２とが、それぞれ、Ｌ１発生回路５０及びＬ２発生回路６０にて生成される。
【００６０】
このため、入力回路２２を介して入力された入力信号の一部が、ミキサ２４から、第１高周波信号Ｌ１の伝送経路側に漏れ出したとしても、その漏れ出した入力信号成分が、第２高周波信号Ｌ２の伝送経路に漏れ出し、ミキサ４０から出力回路４２、出力端子Ｔｏｕｔを通って、送信アンテナ１４へと伝送され、送信アンテナ１４からワンセグ放送信号と共に放射されるようなことはない。
【００６１】
よって、本実施形態の送信装置２０によれば、ＣＡＴＶ網にて下り方向に伝送される伝送信号の中からワンセグ放送信号を抽出して不要信号成分を除去し、送信アンテナ１４からワンセグ放送信号だけを送信させることができるようになる。
【００６２】
また、Ｌ１発生回路５０及びＬ２発生回路６０において、第１発振器及び第２発振器としてのＶＣＯ５２，６２の発振周波数は、発振周波数制御回路としてのＰＬＬ回路５４，６４によって、基準信号発生回路７０が発生した基準信号に基づき制御されることから、ＶＣＯ５２，６２の発振周波数がずれるのを防止できる。
【００６３】
よって、ミキサ４０にて周波数変換されたワンセグ放送信号の周波数が、入力信号に含まれる元のワンセグ放送信号の周波数からずれるのを防止することができる。
【００６４】
なお、本実施形態においては、Ｌ１発生回路５０及びＬ２発生回路６０が、本発明の高周波信号供給手段に相当する。
【００６５】
以上本発明の一実施形態について説明したが、本発明は、上記実施形態に限定されるものではなく、本発明の要旨を逸脱しない範囲内にて、種々の態様をとることができる。
【００６６】
例えば、上記実施形態では、送信装置２０において、第１高周波信号Ｌ１及び第２高周波信号Ｌ２を、それぞれ、ＶＣＯ５２、６２を備えたＬ１発生回路５０及びＬ２発生回路６０にて生成することで、ミキサ２４から第１高周波信号Ｌ１の伝送経路側に漏れ出した入力信号成分が、第２高周波信号Ｌ２の伝送経路側に伝送されて、送信アンテナ１４から放射されるのを防止している。
【００６７】
これに対し、周波数変換用の高周波信号を発生する高周波信号発生回路９０を一つだけ設けた送信装置２０であっても、図３に示すように構成することにより、ミキサ２４から第１高周波信号Ｌ１の伝送経路側に漏れ出した入力信号成分が、第２高周波信号Ｌ２の伝送経路側に伝送されて、送信アンテナ１４から放射されるのを防止することができる。
【００６８】
すなわち、図３に示す送信装置２０は、Ｌ１発生回路５０及びＬ２発生回路６０と同様、ＶＣＯ９２、ＰＬＬ回路９４、及び、増幅回路９６を備えた高周波信号発生回路９０を備える。
【００６９】
そして、この高周波信号発生回路９０が発生した高周波信号を、分配回路１００にて２分配し、２分配した高周波信号の一方を、第１高周波信号Ｌ１として、第１経路１１０を介してミキサ２４に供給し、２分配した高周波信号の他方を、第２高周波信号Ｌ２として、第２経路１２０を介してミキサ４０に供給するように構成されている。
【００７０】
また、各高周波信号Ｌ１、Ｌ２を伝送する第１経路１１０及び第２経路１２０には、分配回路１００にて２分配された第１高周波信号Ｌ１及び第２高周波信号Ｌ２をそれぞれ増幅してミキサ２４、４０側に出力する増幅回路１１２、１２２が設けられている。
【００７１】
このため、図３に示した送信装置２０によれば、入力回路２２を介して入力された入力信号の一部が、ミキサ２４から第１経路１１０側に漏れ出したとしても、その漏れ出した入力信号成分は、増幅回路１１２にて遮断（換言すれば充分減衰）されることから、入力信号成分が分配回路１００を介して第２経路１２０側に周り込むのを防止できる。
【００７２】
なお、図３に示す送信装置２０においては、増幅回路１１２、１２２に代えて、高周波信号だけを選択的に通過させ、他の信号成分の通過を阻止するＢＰＦを設けるようにしても、上記と同様の効果を得ることができる。
【００７３】
また、図３に示す送信装置２０においては、第１経路１１０にだけ、増幅回路１１２若しくはＢＰＦを設けるようにしてもよく、第２経路１２０にだけ、ＢＰＦを設けるようにしてもよく、第１経路１１０と第２経路１２０の両方若しくは何れか一方に増幅回路とＢＰＦを設けるようにしてもよい。
【００７４】
また、上記実施形態のワンセグ放送システムは、伝送線の一部に光ケーブル６を用いたＣＡＴＶ網を利用するものとして説明したが、本発明は、伝送線が同軸ケーブル７だけで構成されたＣＡＴＶ網にも適用できる。
【符号の説明】
【００７５】
２…ヘッドエンド、４…Ｅ／Ｏ変換器、６…光ケーブル、７…同軸ケーブル、８…Ｏ／Ｅ変換器、１０…ワンセグエンコーダ、１２…変調器、１４…送信アンテナ、２０…送信装置、Ｔｉｎ…入力端子、２２…入力回路、２４…ミキサ、２６，３０，３４，３８…増幅回路、２８，３２，３６…ＢＰＦ、４０…ミキサ、４２…出力回路、Ｔｏｕｔ…出力端子、５０…Ｌ１発生回路、６０…Ｌ２発生回路、９０…高周波信号発生回路、５２，６２，９２…ＶＣＯ、５４，６４，９４…ＰＬＬ回路、５６，６６，９６…増幅回路、７０…基準信号発生回路、８０…制御回路、１００…分配回路、１１０…第１経路、１２０…第２経路、１１２，１２２…増幅回路。
【図１】
2015204494.tif 000003
【図２】
2015204494.tif 000004
【図３】
2015204494.tif 000005